(57)【要約】【課題】ＣＣＤイメージセンサ及び周辺回路を効率的に冷却することができるレンズ鏡筒を提供する。【解決手段】レンズ鏡筒４は、カメラ本体に着脱自在であり、ＣＣＤイメージセンサ３６を内蔵している。ズーム動作を行う際に操作するズームリング４５の内周面４５ｂにファン４７を設ける。レンズ鏡筒本体３０に通気口４９，５０を設ける。ズームリング４５が操作されると、通気口４９から冷たいエアが内部空間４６に流入し、通気口５０から熱せられたエアが流出する。【選択図】図２
2007155776.tif 000002
【特許請求の範囲】
【請求項１】
撮像素子及びズームレンズが内蔵されるとともにカメラ本体に着脱自在なレンズ鏡筒において、
レンズ鏡筒の外部から内部へエアを流入させるエア流入口及び内部から外部へエアを流出させるエア流出口と、
前記ズームレンズを光軸方向に移動させるズームレンズ移動機構の一部を構成し、ズーム動作時に光軸を中心にして回転する回転部材と、
この回転部材に形成され、ズーム動作時における回転に伴って、前記エア流入口及び前記エア流出口を介してレンズ鏡筒の内部にエアの流れを生じさせ撮像素子を冷却するファンとを備えたことを特徴とするレンズ鏡筒。
【請求項２】
前記回転部材はズーム動作を行うときに手動で回転操作されるズームリングであり、このズームリングの内周面はレンズ鏡筒の内部空間に面しており、この内周面に前記ファンが一体に形成されていることを特徴とする請求項１記載のレンズ鏡筒。
【請求項３】
前記回転部材は、光軸を中心にして回転することにより前記ズームレンズを光軸方向に移動させるカムが形成されレンズ鏡筒の内部に配置されたカム筒であることを特徴とする請求項１記載のレンズ鏡筒。
【請求項４】
前記エア流入口と前記エア流出口とは、光軸を挟んで互いに対向するようにして配置されていることを特徴とする請求項１ないし３いずれか１項記載のレンズ鏡筒。
【請求項５】
撮像素子及びズームレンズを内蔵するとともにカメラ本体に着脱自在なレンズ鏡筒において、
有底の筒状に形成されたレンズ鏡筒本体と、
有底の筒状に形成されて前記レンズ鏡筒本体の内部に配され、ズームレンズが組み込まれるとともに底部の前面に撮像素子が取り付けられた内筒と、
前記レンズ鏡筒本体と前記内筒との間に配され、前記ズームレンズを光軸方向に移動させるズームレンズ移動機構の一部を構成し、ズーム動作時に光軸を中心にして回転する回転部材と、
前記撮像素子の後方の領域を含むようにして、少なくとも前記レンズ鏡筒本体、前記内筒、及び前記回転部材によって気密に囲まれ、冷却液が満たされた空間と、
前記回転部材に形成され、ズーム動作時における回転に伴って、前記空間内の前記冷却液に流れを生じさせて前記撮像素子を冷却する羽根部とを備えたことを特徴とするレンズ鏡筒。
【発明の詳細な説明】
【技術分野】
【０００１】
本発明は、撮像素子を内蔵しカメラ本体に着脱自在なレンズ鏡筒に関する。
【背景技術】
【０００２】
ＣＣＤなどの撮像素子を用いて撮像した撮影画像をデジタルの画像データに変換し、内蔵メモリやメモリカードなどの記録媒体に記録するデジタルカメラが普及している。デジタルカメラの中には、各種レンズを交換して好みに応じた撮影を行うレンズ交換式のものがある。レンズ交換式のデジタルカメラは、カメラ本体とレンズ鏡筒とから構成されるが、カメラ本体側に撮像素子を内蔵するのが一般的であった。この場合、レンズ鏡筒装着時に、カメラ本体の撮像素子とレンズ鏡筒のレンズ群とを光学的に接続する必要があり、例えばバックフォーカス調節が必要とされることがあるため、不慣れな者にとっては取り扱いが難しいという問題があった。
【０００３】
レンズ交換式のデジタルカメラの取り扱いを容易にするため、レンズ鏡筒側に撮像素子を内蔵するものが知られている。この場合には、カメラ本体とレンズ鏡筒とを光学的に接続する必要がなくなり、電気的に接続するだけでよくなるため、誰にでもレンズ鏡筒装着作業が簡単になる。また、カメラ本体側に撮像素子を内蔵するタイプのものでは、カメラ本体内へ塵埃が侵入して撮像素子に付着する問題があったが、レンズ鏡筒側に撮像素子を内蔵するタイプのものでは、撮像素子を配置する部屋を密閉することが可能になることから前記問題を解決することができる。しかしながら、レンズ鏡筒側に撮像素子を内蔵するタイプのものでは、レンズ鏡筒内の狭い空間に、撮像素子や、この撮像素子を駆動する回路などが配置されるため、冷却効率が悪くなり熱によって各部の性能が低下するという問題があった。
【０００４】
従来において装置内で発熱した部位を冷却する技術がいくつか提案されている。特許文献１には、半導体レーザ光により固体レーザ素子を励起するレーザ装置が記載されており、装置本体に放熱フィンを設けている。特許文献２には、レンズ鏡筒が突出して設けられるカメラが記載されており、発熱する部品をレンズ鏡筒の側方に配置し、発熱する部品に放熱板を取り付けている。特許文献３には、内視鏡に着脱自在な内視鏡用外付テレビカメラが記載されており、発熱する固体撮像素子の背面側に、送風機構を設けている。
【特許文献１】特開平８−１６７７５１号公報
【特許文献２】特開２００２−１１２０８２号公報
【特許文献３】特開平５−３４６０５号公報
【発明の開示】
【発明が解決しようとする課題】
【０００５】
しかしながら、特許文献１及び特許文献２に記載された技術では、放熱フィンや放熱板を取り付けるだけであり、積極的に空気の流れを生じさせているわけではないため、冷却効率が充分に高くならない。また、特許文献３に記載された技術では、固体撮像素子を冷却するための送風機構を設けているが、装置内に送風機構を設置するスペースを確保しなければならず装置が大型化するとともに、部品点数が増加して製造コストが上昇してしまう。
【０００６】
本発明では、撮像素子を効率的に冷却することが可能であるとともに、小型であって製造コストを抑えたレンズ鏡筒を提供することを目的とする。
【課題を解決するための手段】
【０００７】
本発明は、撮像素子及びズームレンズが内蔵されるとともにカメラ本体に着脱自在なレンズ鏡筒に関し、レンズ鏡筒の外部から内部へエアを流入させるエア流入口及び内部から外部へエアを流出させるエア流出口と、前記ズームレンズを光軸方向に移動させるズームレンズ移動機構の一部を構成し、ズーム動作時に光軸を中心にして回転する回転部材と、この回転部材に形成され、ズーム動作時における回転に伴って、前記エア流入口及び前記エア流出口を介してレンズ鏡筒の内部にエアの流れを生じさせ撮像素子を冷却するファンとを備えたことを特徴とする。
【０００８】
前記回転部材はズーム動作を行うときに手動で回転操作されるズームリングであり、このズームリングの内周面はレンズ鏡筒の内部空間に面しており、この内周面に前記ファンが一体に形成されていることが好ましい。ズームリングとファンとを一体に成形することにより、部品点数を抑えることができる。
【０００９】
前記回転部材が、光軸を中心にして回転することにより前記ズームレンズを光軸方向に移動させるカムが形成されレンズ鏡筒の内部に配置されたカム筒である構成も好適である。
【００１０】
前記エア流入口と前記エア流出口とは、光軸を挟んで互いに対向するようにして配置されていることが好ましい。これにより、レンズ鏡筒の内部で空気の流れが活発になり、撮像素子が効率的に冷却される。
【００１１】
本発明は、撮像素子及びズームレンズを内蔵するとともにカメラ本体に着脱自在なレンズ鏡筒に関し、有底の筒状に形成されたレンズ鏡筒本体と、有底の筒状に形成されて前記レンズ鏡筒本体の内部に配され、ズームレンズが組み込まれるとともに底部の前面に撮像素子が取り付けられた内筒と、前記レンズ鏡筒本体と前記内筒との間に配され、前記ズームレンズを光軸方向に移動させるズームレンズ移動機構の一部を構成し、ズーム動作時に光軸を中心にして回転する回転部材と、前記撮像素子の後方の領域を含むようにして、少なくとも前記レンズ鏡筒本体、前記内筒、及び前記回転部材によって気密に囲まれ、冷却液が満たされた空間と、前記回転部材に形成され、ズーム動作時における回転に伴って、前記空間内の前記冷却液に流れを生じさせて前記撮像素子を冷却する羽根部とを備えたことを特徴とする。
【発明の効果】
【００１２】
本発明のレンズ鏡筒によれば、レンズ鏡筒の外部から内部へエアを流入させるエア流入口及び内部から外部へエアを流出させるエア流出口と、ズームレンズを光軸方向に移動させるズームレンズ移動機構の一部を構成し、ズーム動作時に光軸を中心にして回転する回転部材と、この回転部材に形成され、ズーム動作時における回転に伴って、エア流入口及びエア流出口を介してレンズ鏡筒の内部にエアの流れを生じさせ撮像素子を冷却するファンとを備えたので、ファン駆動用の新たな駆動源例えばモータを設ける必要がないことから、レンズ鏡筒の大型化を抑えるとともに製造コストを抑えることができる。また、冷たい外気を内部に流入させることから、撮像素子及び周辺回路を効率的に冷却することができる。
【００１３】
本発明のレンズ鏡筒によれば、有底の筒状に形成されたレンズ鏡筒本体と、有底の筒状に形成されてレンズ鏡筒本体の内部に配され、ズームレンズが組み込まれるとともに底部の前面に撮像素子が取り付けられた内筒と、レンズ鏡筒本体と内筒との間に配され、ズームレンズを光軸方向に移動させるズームレンズ移動機構の一部を構成し、ズーム動作時に光軸を中心にして回転する回転部材と、撮像素子の後方の領域を含むようにして、少なくともレンズ鏡筒本体、内筒、及び回転部材によって気密に囲まれ、冷却液が満たされた空間と、回転部材に形成され、ズーム動作時における回転に伴って、空間内の冷却液に流れを生じさせて撮像素子を冷却する羽根部とを備えたので、内筒の底部を介して撮像素子の後方に冷却液の流れを生じさせて撮像素子及び周辺回路を効率的に冷却することができる。
【発明を実施するための最良の形態】
【００１４】
［第１実施形態］
図１に示すように、カメラシステム２は、カメラ本体３とレンズ鏡筒４とから構成される。カメラ本体３にはレンズ鏡筒４が着脱自在であり、装着時にはカメラ本体３とレンズ鏡筒４とが電気的に接続される。
【００１５】
レンズ鏡筒４の後面に設けられたレンズ側マウント部５には、バヨネット爪６が形成されている。このバヨネット爪６には接続端子７が設けられている。カメラ本体３の前面に設けられたカメラ本体側マウント部８には、バヨネット溝９が形成されている。レンズ鏡筒４をカメラ本体３に装着する際には、バヨネット爪６をバヨネット溝９に合わせた状態で押し込んでから回転させる。カメラ本体側マウント部８のロックピン１０がレンズ側マウント部５の図示しないピン孔と係合すると、レンズ鏡筒４が位置決めされる。また、レンズ鏡筒４の位置決めに伴ってレンズ側マウント部５の接続端子７がカメラ本体側マウント部８の接続端子１１（図５参照）に接続される。なお、カメラ本体側マウント部８には、前方向にバネ付勢されたマウント蓋１２が設けられており、このマウント蓋１２はレンズ鏡筒４の装着時にレンズ側マウント部５に押圧されて後方向に移動する。マウント蓋１２は、レンズ鏡筒４の非装着時にカメラ本体３の内部に塵埃が侵入することを防止する役割を果たしている。
【００１６】
カメラ本体側マウント部８には、ロックピン１０と連動するロック解除ボタン１３が設けられている。ロック解除ボタン１３は、レンズ鏡筒４を取り外す際に操作されるものであり、押圧することでロックピン１０を後方向に移動させてロックを解除することができる。カメラ本体の前面にはストロボ１４の発光部１４ａが設けられている。
【００１７】
カメラ本体３の上面には、撮影時に押圧操作されるレリーズボタン２０と、撮影／再生モードの切替え時に操作されるモード切替部２１とが設けられている。カメラ本体３の後面には、撮影画像や各種設定条件が表示されるＬＣＤ２３と、電源スイッチ２４とが設けられている（図５参照）。
【００１８】
図２に示すように、レンズ鏡筒４は、有底の筒状のレンズ鏡筒本体３０を有しており、後面が閉じられている。このレンズ鏡筒本体３０の内部には、有底の筒状の内筒３１が配置されている。
【００１９】
内筒３１には第１レンズ群３２が組み込まれており、この第１レンズ群３２の後方にはズームレンズ群３３が組み込まれている。ズームレンズ群３３はリング状の保持枠３４に保持されており、この保持枠３４を介して内筒３１に組み込まれている。内筒３１の底板３５において、前面３５ａの中央部にはＣＣＤイメージセンサ３６が設けられ、また、底板３５の後面３５ｂには、ＣＣＤイメージセンサ３６に対応する位置に、放熱フィン３７が設けられている。この放熱フィン３７は、複数枚の板であり、図２中上下方向に延びるようにして互いに平行に設けられている。内筒３１の底板３５及び放熱フィン３７は、放熱性の高い材料で形成することが好ましく、例えばアルミニウムなどの金属を用いることが好ましい。
【００２０】
内筒３１の底板３５には、ＣＣＤイメージセンサ３６以外にも、後述するＣＣＤ駆動回路７０、アナログ信号処理回路７２、Ａ／Ｄ変換回路７３、レンズ鏡筒用ＣＰＵ７１、データ通信回路７４などが実装基板に実装されて取り付けられている。なお、これらの回路のうち、一部の回路をカメラ本体３側に配置することとしてもよい。また、カメラ本体３側に配置した回路のうち、一部の回路例えばデジタル信号処理回路７８をレンズ鏡筒４側に配置することとしてもよい。
【００２１】
保持枠３４の外周面には光軸４４に対して垂直に延びる摺動ピン４０が設けられており、この摺動ピン４０は周方向で互いに等間隔になるようにして３本設けられている。また、内筒３１には光軸方向に延びる直進ガイド孔４１が設けられており、この直進ガイド孔４１も周方向で互いに等間隔になるようにして３つ設けられている。各摺動ピン４０は各直進ガイド孔４１に挿入されている。
【００２２】
レンズ鏡筒本体３０と内筒３１との間にはカム筒４２が配置されており、カム筒４２の外周面がレンズ鏡筒本体３０の内周面に接するように、また、カム筒４２の内周面が内筒３１の外周面に接するようにされている。図３に示すように、カム筒４２の内周面にはカム溝４３が形成されており、このカム溝４３は周方向で互いに等間隔になるようにして３本設けられている（図３においては２本だけ図示）。各カム溝４３には、各摺動ピン４０の先端部が接するようにされている。カム筒４２が光軸４４を中心にして回転すると、摺動ピン４０が直進ガイド孔４１及びカム溝４３に摺動し、ズームレンズ群３３が光軸に沿って前後に移動するようになっている。
【００２３】
レンズ鏡筒本体３０には、光軸４４を中心にして回転可能にされたズームリング４５が設けられている。このズームリング４５は外周面４５ａがレンズ鏡筒本体３０の外部空間に面しており、内周面４５ｂがレンズ鏡筒本体３０の内部空間４６に面している。この内部空間４６は、レンズ鏡筒本体３０、内筒３１、及びカム筒４２に囲まれており、ＣＣＤイメージセンサ３６の後方の領域を含むようにして形成されている。内部空間４６は、密閉状態にする（ただし、通気口４９，５０は除く）ことが好ましいが、多少の隙間が生じていてもよい。図４に示すように、ズームリング４５の内周面４５ｂには光軸方向に対して傾斜するようにされた板状のファン４７が複数枚形成されている。ファン４７はズームリング４５に一体に形成されている。
【００２４】
図２に示すように、ズームリング４５とカム筒４２とは連結ピン４８により連結されており、ズームリング４５と共にカム筒４２が回転するようになっている。ズームレンズ群３３を移動させるズームレンズ移動機構は、ズームリング４５、連結ピン４８、カム筒４２等によって構成されている。
【００２５】
レンズ鏡筒本体３０には２つの通気口４９，５０が互いに光軸４４を挟んで対向するようにして設けられている。ただし、通気口４９はズームリング４５より前方に配置され、通気口５０はズームリング４５より後方に配置されている。ズームリング４５の回転方向に応じて、通気口４９，５０のうちいずれか一方がエアの流入口となり、他方がエアの流出口となる。これらの通気口４９，５０には、レンズ鏡筒４の内部に塵埃が侵入するのを防止するためのスポンジ５１，５２がそれぞれ設けられている。
【００２６】
図５のブロック図に示すように、ＣＣＤイメージセンサ３６は、ＣＣＤ駆動回路７０に接続されており、ＣＣＤ駆動回路７０を介してレンズ鏡筒用ＣＰＵ７１によって駆動を制御されている。ＣＣＤイメージセンサ３６は、第１レンズ群３２及びズームレンズ群３３により結像された光学的な被写体像を電気的な撮像信号に変換して出力する。ＣＣＤイメージセンサ３６から出力された撮像信号はアナログ信号処理回路７２に入力される。アナログ信号処理回路７２は、相関二重サンプリングを行うことによって信号からノイズを除去する機能や、信号を増幅する機能を備え、撮像信号に対してこれらの処理を施してから出力する。
【００２７】
適当なレベルに増幅された撮像信号は、Ａ／Ｄ変換回路７３によってデジタル変換されて画像データとなる。この画像データは、データ通信回路７４を介してカメラ本体３側へと送信される。レンズ鏡筒用ＣＰＵ７１は、カメラ本体用ＣＰＵ７５と交信しながら、レンズ鏡筒４側の撮影処理や画像処理等を管制する。
【００２８】
レンズ鏡筒４からの画像データは、データ通信回路７６を介してメモリ７７に書き込まれる。デジタル信号処理回路７８は、メモリ７７から画像データを読み出し、階調変換、ホワイトバランス補正、γ補正等の処理を施す。各種処理が施された画像データはＬＣＤ駆動回路７９へ入力され、ＬＣＤ２３にスルー画として表示される。
【００２９】
レリーズボタン２０が押圧操作されたときには、メディアコントローラ８０の制御によって、各種処理が施された画像データが記録メディア８１に記録される。また、レリーズボタン２０が押圧操作されたときには、撮影環境からの光量に応じてストロボ１４が駆動される。カメラ本体用ＣＰＵ７５は、レンズ鏡筒用ＣＰＵ７１と交信しながら、カメラ本体３側の撮影処理、画像表示処理、記録処理等を管制する。カメラ本体用ＣＰＵ７５には、レリーズボタン２０、モード切替部２１、及び電源スイッチ２４が接続されている。
【００３０】
カメラ本体３にはバッテリ８２が配置され、カメラ本体３の各部に電力を供給している。また、このバッテリ８２は、接続端子７，１１を介してレンズ鏡筒４に接続されており、レンズ鏡筒４の各部にも電力を供給している。
【００３１】
以下、上記構成による作用について説明する。レンズ鏡筒４をカメラ本体３に装着すると、レンズ鏡筒４とカメラ本体３とが電気的に接続される。
【００３２】
カメラ本体３の電源スイッチ２４をオンにし、モード切替部２１を操作して撮影モードに設定すると、撮影が可能な状態となる。ＬＣＤ２３にはスルー画が表示される。ＬＣＤ２３のスルー画を眺めながらズームリング４５を手動で回転操作することにより、ズーム動作を行うことができる。レリーズボタン２０を押圧操作すると撮影が行われ、その時点で得られた画像データが記録メディア８１に記録される。
【００３３】
撮影が繰り返されると、レンズ鏡筒４内のＣＣＤイメージセンサ３６及び周辺回路が発熱する。これらの熱は、内筒３１の底板３５及び放熱フィン３７を介して、内部空間４６のエアに伝達される。これにより、内部空間４６のエアが熱せられる。
【００３４】
内部空間４６のエアが熱せられた状態で、ズームリング４５が前面側から見て時計回りに回転操作されると、ファン４７によって図２中Ａ方向にエアの流れが生じ、通気口４９を介して外部の冷たいエアが内部空間４６に流入するとともに、通気口５０を介して熱せられたエアが外部へと流出する。一方、ズームリング４５が前面側から見て反時計回りに回転操作されると、ファン４７によって図２中Ｂ方向にエアの流れが生じ、通気口５０を介して冷たいエアが内部空間４６に流入するとともに、通気口４９を介して熱せられたエアが外部へと流出する。これにより、放熱フィン３７及び底板３５が効率的に冷却され、ＣＣＤイメージセンサ３６及び周辺回路が冷却されるため、これらの性能が低下することを防止することができる。また、本実施形態の構成によれば、ファン４７を駆動するために新たな駆動源を設ける必要がないことから、レンズ鏡筒４の大型化を抑えるとともに製造コストを抑えることができる。
【００３５】
なお、上記第１実施形態の構成に加えて、レンズ鏡筒４の外部からのエアを内部空間４６に効率的に流入させるために、図６及び図７に示すガイド壁９０〜９３を設けエア流路を形成してもよい。ガイド壁９０，９１は断面Ｌ字状であり、レンズ鏡筒本体３０の内周面と内筒３１の外周面とに固定されている。一方、ガイド壁９２，９３は断面Ｌ字状であり、レンズ鏡筒本体３０の内周面にだけ固定されている。これは、内筒３１側の空間が、前述した連結ピンの通過領域とされるためである。
【００３６】
［第２実施形態］
第１実施形態のレンズ鏡筒ではズームリングにファンを形成したが、以下で説明する第２実施形態のレンズ鏡筒ではカム筒にファンを形成している。第２実施形態の説明においては、第１実施形態と同様の構成要素に関しては同一の符号を付し、その説明を省略する。
【００３７】
第２実施形態のレンズ鏡筒１００においては、図８に示すように、第１実施形態のカム筒４２の替わりにカム筒１０１が設けられている。このカム筒１０１には第１実施形態のカム溝４３と同じ形状のカム溝１０２が形成されており、カム溝１０２には摺動ピン４０の先端部が接している。カム筒１０１が光軸４４を中心にして回転すると、ズームレンズ群３３が光軸４４に沿って前後方向に移動するようになっている。カム筒１０１はレンズ鏡筒１００の内部に配置されたモータ１０３の動力が伝達されて回転し、モータ１０３はカメラ本体３（図１参照）に設けられたズーム操作部１０４の操作に基づいて駆動する。
【００３８】
カム筒１０１の外周面には、光軸方向に対して傾斜する板状のファン１０５が多数形成されている。ファン１０５はカム筒１０１に一体に形成してもよいし、別体にして取り付けてもよい。通気口１０６はファン１０５より前方に形成され、通気口１０７はファンより後方に形成されている。ズーム操作部１０４が操作されると、カム筒１０１が回転し、ファン１０５によって内部空間４６にエアの流れが生じる。第１実施形態のレンズ鏡筒４と同様の作用効果を有することとなる。
【００３９】
［第３実施形態］
第１及び第２実施形態のレンズ鏡筒ではエアを用いて冷却を行ったが、以下で説明する第３実施形態のレンズ鏡筒では冷却液を用いて冷却を行っている。第３実施形態の説明においては、第１及び第２実施形態と同様の構成要素に関しては同一の符号を付し、その説明を省略する。
【００４０】
第３実施形態のレンズ鏡筒２００においては、図９に示すように、レンズ鏡筒本体２０１には通気口が形成されていない。また、内部空間４６は、レンズ鏡筒本体２００と、内筒３１と、カム筒１０１によって気密に囲まれている。この内部空間４６には冷却液２０２が満たされている。
【００４１】
撮影が繰り返されＣＣＤイメージセンサ３６及び周辺回路が発熱すると、この熱は内筒３１の底板３５及び放熱フィン３７を介して、内部空間４６の冷却液２０２に伝達される。ここで、ズーム操作部１０４が操作されると、カム筒１０１が回転し、ファン（羽根部）１０５によって内部空間４６の冷却液２０２が攪拌される。これにより、冷却液２０２の熱は分散されてレンズ鏡筒本体２０１に効率良く伝達され、レンズ鏡筒本体２０１から外部へ放熱される。
【００４２】
なお、上記第１及び第２実施形態では、通気口が２箇所に設けられていたが、３箇所以上に設けられる構成であってもよい。また、上記第１及び第２実施形態では、撮像素子の背面が内筒の底板に保持されていたが、撮像素子の周部だけが底板に保持され撮像素子の背面が内部空間に露呈するようにしてもよい。
【００４３】
上記第２及び第３実施形態では、ズーム操作部が撮影者に操作された場合にのみズーム動作が行われたが、撮影時以外例えば再生モード時にズーム動作を行ってレンズ鏡筒の内部を冷却するようにしてもよい。
【図面の簡単な説明】
【００４４】
【図１】レンズ鏡筒及びカメラ本体の外観斜視図である。
【図２】レンズ鏡筒の断面図である。
【図３】カム筒の外観斜視図である。
【図４】ズームリングを内側から見たときの内面図である。
【図５】レンズ鏡筒及びカメラ本体の電気的構成を示すブロック図である。
【図６】エア流路を形成するガイド壁を説明するための要部断面図である。
【図７】図６のVII―VII線に沿って切断したときの要部断面図である。
【図８】第２実施形態のレンズ鏡筒の断面図である。
【図９】第３実施形態のレンズ鏡筒の断面図である。
【符号の説明】
【００４５】
２  カメラシステム
３  カメラ本体
４  レンズ鏡筒
３０  レンズ鏡筒本体
３１  内筒
３５  底板
３６  ＣＣＤイメージセンサ
４２  カム筒
４６  内部空間
４９，５０  通気口
【図１】
2007155776.tif 000003
【図２】
2007155776.tif 000004
【図３】
2007155776.tif 000005
【図４】
2007155776.tif 000006
【図５】
2007155776.tif 000007
【図６】
2007155776.tif 000008
【図７】
2007155776.tif 000009
【図８】
2007155776.tif 000010
【図９】
2007155776.tif 000011